(57)【要約】【課題】広視野角領域と狭視野角領域を有する視野角制御光学シート、およびこれを用いた表示装置を提供する。【解決手段】表示画面に対する視野角を制御する視野角制御光学シートであって、この視野角制御光学シートは、表示画面に狭い視野角を与える第１領域と、表示画面に前記第１領域よりも広い視野角を与える第２領域を有し、第１領域では、光透過性材料からなる光透過部分と、光吸収材料からなる光吸収部分とが交互に配列している。また、表示装置は、この視野角制御光学シートを用いて構成される。【選択図】図３
2010223996.tif 000002
【特許請求の範囲】
【請求項１】
表示画面に対する視野角を制御する視野角制御光学シートであって、前記表示画面に狭い視野角を与える第１領域と、前記表示画面に前記第１領域よりも広い視野角を与える第２領域を有し、前記第１領域では、光透過性材料からなる光透過部分と、光吸収材料からなる光吸収部分とが交互に配列していることを特徴とする視野角制御光学シート。
【請求項２】
請求項１記載の視野角制御光学シートであって、前記第１領域と第２領域の双方において、前記表示画面に対する法線方向の光透過率が略等しくされたことを特徴とする視野角制御光学シート。
【請求項３】
請求項１または２記載の視野角制御光学シートであって、前記第１領域の光吸収材料と同じ色調を呈する光吸収層が、前記第２領域に設けられていることを特徴とする視野角制御光学シート。
【請求項４】
請求項１または２記載の視野角制御光学シートであって、前記第２領域には、光透過性材料からなる光透過部分と、光吸収材料からなる光透過率調整部分とが交互に配列されたことを特徴とする視野角制御光学シート。
【請求項５】
請求項４記載の視野角制御光学シートであって、光透過性樹脂シート基材を備え、前記第１領域では、前記光透過性樹脂シート基材の主面の所定方向に沿って深さＤ、幅Ｗ、ピッチＰで形成された複数の溝のそれぞれに前記光吸収部分が配置され、また、前記第２領域では、前記光透過性樹脂シート基材の主面の所定方向に沿って深さＤ１、幅Ｗ１、ピッチＰ１で形成された複数の溝のそれぞれに前記光透過率調整部分が配置され、
前記幅Ｗ、Ｗ１とピッチＰ、Ｐ１は、Ｗ／ＰとＷ１／Ｐ１が略等しくされ、また、
前記深さＤ、Ｄ１と幅Ｗ、Ｗ１は、Ｄ／Ｗ＞Ｄ１／Ｗ１の関係とされたことを特徴とする視野角制御光学シート。
【請求項６】
請求項１〜５の何れかに記載の視野角制御光学シートを、表示パネルの表示画面側、または前記表示パネルの表示用光源と前記表示パネルとの間に配置したことを特徴とする表示装置。
【請求項７】
請求項６記載の表示装置であって、前記視野角制御光学シートよりも観察者側に、光透過性材料で構成されたタッチパネルを配置したことを特徴とする表示装置。
【発明の詳細な説明】
【技術分野】
【０００１】
この発明は、限られた領域に狭視野角を与える視野角制御光学シート、およびこの視野角制御光学シートを用いて表示画面の限られた領域のみ視野角を制限した表示装置に関するものである。
【背景技術】
【０００２】
近年、携帯電話などに代表されるように、エレクトロルミネッセンスパネルや液晶表示パネルなどを用いた表示装置は小型化され、様々な環境下で簡便に用いられている。しかしながら、例えば衆人環境下で個人情報を確認する場合や、現金自動預け払い機（ＡＴＭ：Automated Teller Machine）の情報端末にタッチパネル機能を有した表示画面に表示されたキーパッドを用いて暗証番号を入力する場合のように、周りの人から画面を覗かれては困る用途においては、表示装置が表示する情報は、観測者には見えるが、他人からは見えないようにする、つまり、視野角を制限することが必要とされる。このような要求に対して、視野角制御光学シートが開発され、これを用いることで視野角を所望の角度に制御した表示装置が使用されている。
【０００３】
ここで、従来の視野角制御機能を備えた視野角制御光学シートとして、特許文献１には、光透過性樹脂材料からなる比較的幅が広いストライプと光吸収性樹脂材料からなる比較的幅が狭いストライプとを交互に配列することにより、光学的なアパーチャを形成した構造のものが開示されている。このような視野角制御光学シートは、例えば光透過性樹脂シートと光吸収性樹脂シートとを交互に積層したブロックを薄切りにすることにより製造することができる。
【０００４】
また、表示装置が表示する情報を所望の視野角より外からは見えないように制限する別の手段として、特許文献２には、プライバシー装置を備えた液晶表示装置を用いることが開示されている。このプライバシー装置は、液晶表示装置が情報を表示するために備える液晶表示パネルとは別に設けられたゲストホスト液晶層と、このゲストホスト液晶層を駆動する手段とを備え、前記ゲストホスト層を用いて、本来表示すべき情報とは異なる別の画像を表示させることで、特定の視野方向について本来表示すべき情報と前記ゲストホスト液晶層に表示させた画像の重ね合わせの画像を表示するように設定されたものである。このようなプライバシー装置を備えた表示装置では、広視野角と狭視野角が任意に切換可能である。
【先行技術文献】
【特許文献】
【０００５】
【特許文献１】特公昭４７−４３８４５号公報
【特許文献２】特開２００６−９１８７１号公報
【発明の概要】
【発明が解決しようとする課題】
【０００６】
特許文献１に開示された視野角制御光学シートにおいては、光透過性材料からなる光透過部分と光吸収性材料からなる光吸収部分が交互に配列され、光学的なアパーチャ（以下、ルーバーと称する）を形成している。このルーバー構造により、斜め方向の光は光吸収部分に到達することで吸収され、結果的に表示画面に垂直方向の光を中心とした一定の角度範囲の光のみを取り出すことができる。しかしながら、このような光学シートでは、光学シートを設置した表示画面の全面が、光学シートを用いない場合と比較して所望の狭い視野角となってしまう。例えばＡＴＭの情報端末では、遠方からでも営業中であることを示すために表示画面が点灯した状態であることが確認できる、いわゆるサイン灯としての機能を果たすために広い視野角を有することが必要であり、併せて、タッチパネル機能を有した表示画面に表示されたキーパッドを用いて暗証番号を入力する場合には、周りの人に暗証番号を知られないようにする、いわゆる覗き見防止の機能を果たすために狭い視野角とする必要がある。特許文献１の光学シートでは、このような用途において、サイン灯および覗き見防止という、相反する機能を両立することが難しく、いずれか一方の機能しか満たせていなかった。
【０００７】
特許文献１の光学シートを、狭い視野角にしたい領域のみを覆うために必要な寸法に切断し、これを表示画面の所望の位置に配置することにより、前記光学シートを配置した領域のみに覗き見防止の機能を持たせ、加えて、前記光学シートが配置されていない領域にサイン灯としての機能を持たすことは可能である。しかしながら、このような構成では、表示画面内に前記光学シートの切断された端面が存在する結果となるため、その端面で光の反射、散乱が起り、表示品質が低下するといった問題がある。また、前記光学シートは前述のように光透過部分と光吸収部分が交互に配列されたものであるため、ルーバーによって光の透過を制限していない視野角範囲の光が幾分か吸収されるため、前述のように表示画面の一部のみに前記光学シートを配置した場合には、前記光学シートの有無の境界が表示画面の明暗となって認識されることになり、表示品質として好ましくない。
【０００８】
また、特許文献２に開示されたプライバシー装置においては、液晶表示装置が情報を表示するために備える液晶表示パネルとは別に設けられたゲストホスト液晶層と、このゲストホスト液晶層を駆動する手段を有するので、広視野角と狭視野角が切換可能である。したがって、特許文献１の光学シートでは実現が困難であったサイン灯および覗き見防止という、相反する機能を両立することが可能となる。しかしながら、新たに従来と異なる液晶層を設けなければならないため、製造工程が複雑化して生産性が低下する、コストが上昇するなどの問題がある。また、前記ゲストホスト液晶層を駆動する手段を必要とするため、従来の液晶表示装置に簡便に視野角を制御する機能を付加することはできず、且つ、従来は必要としていなかった駆動装置を追加するため、表示装置が非常に高価になってしまうという問題がある。
【０００９】
この発明は、このような問題を改善することのできる視野角制御光学シートを提案し、併せて、この視野角制御光学シートを用いた表示装置を提案するものである。
【課題を解決するための手段】
【００１０】
この発明による視野角制御光学シートは、表示画面に対する視野角を制御する視野角制御光学シートであって、前記表示画面に狭い視野角を与える第１領域と、前記表示画面に前記第１領域よりも広い視野角を与える第２領域を有し、前記第１領域では、光透過性材料からなる光透過部分と、光吸収材料からなる光吸収部分とが交互に配列していることを特徴とする。
【発明の効果】
【００１１】
この発明による視野角制御光学シートでは、第１領域と第２領域のうち、第１領域のみを狭視野とし、覗き見防止などの機能を持たせることができ、また第２領域を第１領域よりも広視野としたので、この第２領域でサイン灯としての機能を果たすことができる。また、前述のように狭い視野角にしたい領域のみを覆うために必要な寸法に切断した光学シートを所望の位置に配置した場合と異なり、狭い視野角の第１領域とそれよりも広い視野角の第２領域が同じ視野角制御光学シートに形成されているため、双方の境界にシートと空気の界面ができず、そのため、第１、第２領域の境界部分において光の反射や拡散が生じて表示品質を低下させることがない。これにより、狭視野、広視野の両方の特性を備えた表示装置を、表示品質を低下させることなく、比較的安価に、簡便に、且つ生産性良く得ることが可能な視野角制御光学シートを供給することができる。
【図面の簡単な説明】
【００１２】
【図１】図１は、この発明による視野角制御光学シートの実施の形態１と、それを用いたこの発明による表示装置の実施の形態１を示す分解斜視図である。
【図２】図２は、実施の形態１の表示装置と対比される比較例を示す分解斜視図である。
【図３】図３は、実施の形態１の視野角制御光学シートを示す部分拡大断面図である。
【図４】図４は、表示装置の実施の形態１における表示画面を法線方向から観測したイメージの一例を示す図である。
【図５】図５は、この発明による視野角制御光学シートの実施の形態２を示す部分拡大断面図である。
【図６】図６は、実施の形態２の視野角制御光学シートを用いたこの発明における表示装置の表示画面を法線方向から観測したイメージの一例を示す図である。
【図７】図７は、この発明による視野角制御光学シートの実施の形態３を示す部分拡大断面図である。
【図８】図８は、実施の形態３の視野角制御光学シートを用いたこの発明における表示装置の表示画面を法線方向から観測したイメージの一例を示す図である。
【発明を実施するための形態】
【００１３】
以下この発明による視野角制御光学シートとそれを用いた表示装置のいくつかの実施の形態について、図面を参照して説明する。
【００１４】
実施の形態１．
図１は、この発明による視野角制御光学シートの実施の形態１と、それを用いたこの発明による表示装置の実施の形態１を示す分解斜視図である。実施の形態１の視野角制御光学シートは符号２０で示され、また実施の形態１の表示装置は、符号１００で示されている。
【００１５】
先ず表示装置１００は、具体的には液晶表示装置であり、表示用光源１と、リフレクタ２と、反射シート３と、導光板４と、表示パネル５と、視野角制御光学シート２０を備えている。表示パネル５は、具体的には液晶表示パネルである。この表示パネル５は、矩形形状、例えば長方形形状に作られた表示画面５ａと、それに対向する背面５ｂを有する。導光板４は、表示パネル５の表示画面５ａと略同じ面積を有する矩形形状とされ、表示パネル５の背面５ｂに対向するように配置される。表示用光源１は、例えば直線状の光源とされ、導光板４の１つの端面に沿って配置され、導光板４に表示用の光を放射する。反射シート３は、２つの反射シート３ａ、３ｂを含み、反射シート３ａは、導光板４の裏面に対向して配置され、また反射シート３ｂは、導光板４に関して、表示用光源１と反対側の端面に対向して配置される。導光板４は、表示用光源１から放射された光を受入れ、反射シート３ａ、３ｂとともに、表示パネル５の背面５ｂの全面に表示用バックライトを照射する。
【００１６】
視野角制御光学シート２０は、図１に示す表示装置１００では、表示パネル５の表示画面５ａ側に、表示パネル５と対向するように配置される。この視野角制御光学シート２０は、表示パネル５における表示画面５ａの有効画面の全面を覆うように配置され、表示画面５ａからの光の出射角度を制御する。観察者は、この視野角制御光学シート２０を通じて、表示パネル５の表示面５ａに表示される画像を観察する。
【００１７】
視野角制御光学シート２０は、第１領域２１と第２領域２２を有する。第１領域２１は
、表示画面５ａに対して狭い視野角θＮを与える狭視野角領域ＮＡを構成し、第２領域２２は、表示画面５ａに対して第１領域２１よりも広い視野角θＷを与える広視野角領域ＷＡを構成する。すなわち、θＮ＜θＷである。図１に示す視野角制御光学シート２０は、具体的には中心部に矩形形状の第１領域２１、すなわち狭視野角領域ＮＡを有し、この狭視野角領域ＮＡを囲むように、その周囲に枠状に、第２領域２２、すなわち広視野角領域ＷＡが形成されている。
【００１８】
図２は、実施の形態１の表示装置１００と対比される比較例を示す分解斜視図である。この比較例は、特許文献１に開示された光学シート１０を使用した従来の表示装置である。従来の光学シート１０は、表示画面５ａの有効画面の全面を覆うように配置され、その有効画面の全面に一様な視野角を与える均一視野角領域ＥＡを有する。実施の形態１の視野角制御光学シート２０は、この従来の光学シート１０に代わって使用される。
【００１９】
なお、実施の形態１の視野角制御光学シート２０では、第１領域２１、すなわち狭視野角領域ＮＡを図１に示すように、矩形形状としているが、この発明においては、特に第１領域２１の形状を特定するものではなく、表示パネル５の表示画面５ａに表示される情報のうち、視野範囲を制限したい領域をカバーできる寸法であれば、任意の形状、寸法とすることができる。また、実施の形態１の表示装置１００では、視野角制御光学シート２０は、図２の比較例の光学シート１０と比較するために、光学シート１０と同じく表示パネル５の観察者側に設置したが、表示パネル５と表示用光源１との間、具体的には、表示パネル５と導光板４の間に設置することもできる。
【００２０】
図３は、実施の形態１の視野角制御光学シート２０を示す部分拡大断面図である。この図３は、視野角制御光学シート２０の第１領域２１と第２領域２２との境界部の部分拡大断面図である。図３において、視野角制御光学シート２０は、光透過性樹脂シート基材２００を用いて構成され、この光透過性樹脂シート基材２００を共通に使用して、第1領域２１と第２領域２２が形成されている。光透過性樹脂シート基材２００は、光透過性材料からなり、この光透過性樹脂シート基材２００の全体に光透過部分２１２が構成される。光透過性樹脂シート基材２００は、相対向する光入射側主平面２０１と、光出射側主平面２０２を有する。この光透過性樹脂シート基材２００の厚さは、Ｔである。
【００２１】
第１領域２１には、光吸収性材料からなる複数の光吸収部分２１１が、光透過性樹脂シート基材２００に形成された複数の溝２１１Ｃに配置されている。これらの複数の光吸収部分２１１は、光透過性樹脂シート基材２００の光入射側主平面２０１側に、この光入射側主平面２０１に沿って所定方向Ａの方向に所定の間隔をおいて、所定のピッチＰで形成されている。複数の光吸収部分２１１は、それぞれ下端が光入射側主平面２０１に露出するようにして、光透過性樹脂シート基材２００の内部へ深さＤだけ突出している。光吸収部分２１１の所定方向Ａの方向の幅は、Ｗである。光入射側主平面２０１上において、所定方向Ａの方向と直交する方向における複数の光吸収部分２１１の長さは、第１領域２１の大きさに対応して決定される。複数の光吸収部分２１１は、互いに同じ深さＤと、互いに同じ幅Ｗを持って、所定のピッチＰで所定方向Ａの方向に、互いに間隔をおいて、並列するように形成されている。深さＤは、光透過性樹脂シート基材２００の厚さよりも小さく、Ｄ＜Ｔの関係にある。これらの深さＤ、幅Ｗ、ピッチＰは、視野角θＮを第１領域２１に対応した所望の範囲に設定でき、且つ生産性を確保することができる範囲であれば、任意に決められる設計上のパラメータである。複数の溝２１１Ｃのそれぞれは、光吸収部分２１１と略同じ寸法を持って形成され、各溝２１１Ｃ内にそれぞれ光吸収部分２１１が配置される。この複数の溝２１１Ｃも、光吸収部分２１１と同じに、互いに同じ深さＤと、互いに同じ幅Ｗを持って、所定のピッチＰで所定方向Ａの方向に、互いに間隔をおいて、並列するように形成されている。溝２１１Ｃの所定方向Ａの方向と直交する方向の長さは、第１領域２１の大きさに対応して決定される。
【００２２】
第１領域２１において、複数の光吸収部分２１１を除く部分には、光透過性樹脂シート基材２００がそのまま残されるので、隣接する各光吸収部分２１１の間には、それぞれ光透過部分２１２が形成される。結果として、第１領域２１では、光入射側主平面２０１に所定方向Ａの方向に沿って、光吸収部分２１１と光透過部分２１２が交互に配列される。
【００２３】
実施の形態１の視野角制御光学シート２０では、第２領域２２は、その全ての領域が、光透過性樹脂シート２００で構成され、光透過部分２１２で構成される。実施の形態１の視野角制御光学シート２０では、第２領域２２には、第１領域２１のような光吸収部２１１は、全く形成されていない。
【００２４】
次に主要な構成部材について、さらに具体的に説明する。先ず光透過性樹脂シート基材２００は、屈折率ｎが１．５８のポリカーボネート樹脂（ＰＣ）を用いて構成される。光吸収部分２１１は、視野角制御光学シート２０の光入射側主平面２０１側から光吸収部分２１１と略同一形状で形成された複数の溝２１１Ｃのそれぞれに、光吸収材料として着色顔料を含有した屈折率ｎが１．５２の紫外線硬化型のアクリル樹脂を充填して構成されたものである。実施の形態１の視野角制御光学シート２０では、光吸収部分２１１の着色顔料として、平均粒径が１μｍ以下のカーボンブラックを用いている。
【００２５】
実施の形態１の視野角制御光学シート２０は、具体的には、その全体における面方向の寸法を９４ｍｍ×５９ｍｍ、厚さＴを５００［μｍ］とした。第１領域２１の面方向の寸法を８４ｍｍ×４９ｍｍとし、この第１領域２１が視野角制御光学シート２０の中央に位置する構成とした。また、光吸収部分２１１のピッチＰを６０[μｍ]、幅Ｗを２５[μｍ]、深さＤを１５０[μｍ]とした。表示パネル５の表示画面５ａに表示される画像情報のうち、視野角を制限したい内容を表示する部分が、第１領域２１で覆い隠されるように、表示パネル５と視野角制御光学シート２０との相対位置が調整されている。
【００２６】
ここで、実施の形態１の表示装置１００では、視野角制御光学シート２０と表示パネル５との相対位置を決めるための方法を限定しないが、この発明の効果を好適に得られる相対位置の調整方法としては、例えば、表示パネル５を嵌め込む位置を決めるための枠体、および視野角制御光学シート２０の表示パネル５に対する相対位置を決めるための位置決め突起が予め設けられた樹脂製の筐体を準備し、先ず前記枠体に表示パネル５を嵌め込み、次に前記位置決め突起に対応する部分に切り欠きを形成した視野角制御光学シート２０を設置して、表示パネル５と視野角制御光学シート２０の相対位置を決めるなどという方法がある。
【００２７】
次に、実施の形態１の視野角制御光学シート２０の製造方法を説明する。先ず、光透過性樹脂シート基材２００の成形工程について説明する。実施の形態１の視野角制御光学シート２０では、光透過性樹脂シート基材２００の成形方法として、射出圧縮成形法を選定した。この射出圧縮成形法では、型締めと同期して、型締めが完了する寸前に溶融樹脂の射出を行うことにより、光透過性樹脂シート基材２００が形成される。この射出圧縮成形法では、予め金型に形成した溝や穴などのパターンに溶融樹脂を充填し、光吸収部分２１１と略同一形状の複数の溝２１１Ｃを有する光透過性樹脂シート基材２００が形成される。前記パターンを光透過性樹脂シート基材２００に忠実に転写するための力として、通常の射出成形法で用いられる射出圧力、および保圧に加えて、射出成形機の型締め力を利用することができる。このため、予め金型に形成したパターンの転写性が非常に良く、実施の形態１の光学視野角制御光学シート２０に使用される光透過性樹脂シート基材２００のような微細な複数の溝２１１Ｃを有した樹脂成形体を得るための成形方法として、前記射出圧縮成形法を好適に使うことができる。
【００２８】
ここで、成形に用いる金型としては、少なくとも可視光領域で用いる場合に光の散乱が問題にならない程度の表面平滑性が得られるよう、表面を研磨するなどの手段によって表面粗さを制御する必要があり、また視野角制御光学シート２０を用いた場合に複屈折に起因する視認性低下を生じないために、光入射側主平面２０１となる面に光吸収部分２１１と略同一形状の複数の溝２１１Ｃを部分的に形成した光透過性樹脂シート基材２００の残留応力を低減できるゲート形状とする必要がある。金型内部には、第１領域２１と略同一寸法の金型入れ子が設置されており、前記金型入れ子の表面には、光吸収部分２１１と略同一形状の微細な複数の突条が形成されている。この突条は、高さＤと、所定方向Ａの方向の幅Ｗを持ち、この所定方向Ａの方向と直交する方向に、第１領域２１の大きさに対応した長さを持って延長される。この微細な複数の突条は、所定方向Ａの方向にピッチＰで並列するように形成される。
【００２９】
ここで、前記金型入れ子は、金型材料を基材として、前記金型材料上に厚さ２００μｍのニッケルリン電気めっき膜を形成し、前記ニッケルリン電気めっき膜に対して、第１領域２１の光透過部分２１２と所定方向Ａの方向の幅が略同一のダイヤモンドバイトを加工工具として用いて、光吸収部分２１１と略同一形状の微細な突条を残す精密切削加工を施したものである。前記射出圧縮成形に用いる樹脂としては、三菱エンジニアリングプラスチックス社製のユーピロンＨ３０００（商品名）を選定し、射出シリンダー内での樹脂温度を３２０℃に設定した。
【００３０】
実施の形態１に示すような光入射側主平面２０１となる面に光吸収部分２１１と略同一形状の複数の微細な溝２１１Ｃを部分的に形成した光透過性樹脂シート基材２００の樹脂成形においては、溶融樹脂の流動性を適正に制御することが肝要であり、射出シリンダー内での樹脂温度を、樹脂焼けを生じない範囲で可能な限りの高温とする。例えば、前記ユーピロンＨ３０００（商品名）の場合においては、射出シリンダー内での樹脂温度を２８０℃以上３４０℃以下とするのが好ましい。また、金型内での樹脂の流動性を保つ必要もあるため、金型温度の設定も重要なパラメータとなる。具体的には、金型温度を１４０℃とした。金型温度は、成形サイクル、つまり生産性と微細パターンの転写性のバランスを考慮して決めることが肝要であり、実施の形態１に示すような光入射側主平面２０１となる面に複数の微細な溝２１１Ｃを部分的に形成した光透過性樹脂シート基材２００の樹脂成形においては、金型温度を８０℃以上１４０℃以下とするのが好ましい。
【００３１】
次に、光吸収部分２２の形成工程について説明する。この工程では、前述のようにして得られた光入力側主平面２０１に微細な複数の溝２１１Ｃを部分的に形成した光透過性樹脂シート基材２００に対し、その複数の各溝２１１Ｃのそれぞれに前記光吸収材料として着色顔料を含有した紫外線硬化型のアクリル樹脂（以下、光吸収塗料と略する）を充填する。先ず、予め第２領域２２をマスキングテープにより覆い、前記光吸収塗料が塗工されないように処理を施した光透過性樹脂シート基材２００上に前記光吸収塗料を滴下し、所定方向Ａの方向に、第１領域２１における光透過部分２１２と略同じ幅を持ったブレードによって、前記光吸収塗料を光透過性樹脂シート基材２００上に押し広げながら複数の各溝２１１Ｃのそれぞれに前記光吸収塗料を充填する。この場合、複数の微細な各溝２１１Ｃの底面にまで塗料が達するよう、前記光吸収塗料の表面張力、粘度およびブレードの押し付け圧、移動速度を調整することが肝要である。なお、光吸収塗料は、各溝２１１Ｃに充満するように塗布されるが、各溝２１１Ｃに完全に充満しなくても、各溝２１１Ｃの相対向する両側壁の全面に塗布されれば、同じ効果が得られる。次いで、余剰に付着した光吸収塗料を完全に拭き取り、乾燥させ、紫外線を照射することで硬化させる。
【００３２】
このような工程を経て得られた視野角制御光学シート２０を、図１に示すように、表示装置１００の表示画面５ａと対向するように配置することにより、第１領域２１のみを狭視野角領域ＮＡとし、覗き見防止などの機能を持たせることができ、併せて、第２領域２
２は広視野角領域ＷＡとし、この第２領域２２がサイン灯としての機能を果たすことができる表示装置１００を得ることができる。
【００３３】
図４は、実施の形態１の視野角制御光学シート２０を用いた実施の形態１の表示装置１００における表示画面を法線方向から観測したイメージの一例を示す。表示装置１００は、具体的には情報端末であり、表示パネル５の表示画面５ａは情報表示画面を構成している。図４において、符号３０は情報表示画面を示す。実施の形態１の視野角制御光学シート２０は、情報表示画面３０の全面を覆うように配置される。狭視野角領域ＮＡを構成する第１領域２１には、情報表示画面３０のうち視野角を制限すべき情報として、図４では意味のない数字、文字の羅列を示したが、この第１領域２１は、実際には利用者が前記情報端末に表示させた情報のうち、周囲の人に公開すべきでない情報を表示する画面領域である。また、広視野角領域ＷＡを構成する第２領域２２には、情報表示画面３０のうち、特に情報の公開範囲を限定する必要がない情報として、図４では前記情報端末における複数の機能選択ボタン３０１の情報を例示したが、この第２領域２２は、視野角を制限する必要のない情報を表示する画面領域である。
【００３４】
このように、図４の画面構成とした場合には、第１領域２１の寸法、位置、形状が周囲の人に公開すべきでない情報を表示する画面領域を覆い隠すように調整されているため、所定の視野角より外側からは、第１領域２１に表示されている情報を確認することができない。一方で、前記情報端末の設置場所から離れた位置であっても、情報表示画面３０のうち、第２領域２２ではその視野角範囲が第１領域２１より広いために、前記情報端末が利用可能な状態（スタンバイ状態）であることが明確に認識できる。つまり、図２に示した従来の光学シート１０が情報表示画面３０の全面に設置された場合には、離れた位置から見て情報表示画面３０が点灯していないように見えるために、操作が受け付けられない状態であると利用者が誤って判断する可能性があるが、実施の形態１の視野角制御光学シート２０を用いれば、第２領域２２が広視野角領域ＷＡを構成するので、前述のように利用者がスタンバイ状態を誤って判断するようなことがなく、しかも、実際に前記情報端末の前に立って操作する場合には、第１領域２１によって視野角領域が制限されているために、周囲の目を気にせずに個人情報や機密情報を表示させることができる、安心して利用できる環境を提供できる。
【００３５】
なお、視野角制御光学シート２０は、前述の通り、表示パネル５と表示用光源１との間に配置することもできる。この場合、視野角制御光学シート２０は、例えば表示パネル５と導光板４との間に、表示パネル５の背面５ｂの全面と対向するように設置され、表示用光源１は、視野角制御光学シート２０を通じて、表示パネル５の背面５ｂの全面に表示用バックライトを照射する。この場合にも、第１領域２１が狭視野角領域ＮＡを構成し、また第２領域２２が広視野角領域ＷＡを構成し、情報表示画面３０からの光がそれらの視野角θＮ、θＷに制御されるので、実施の形態１と同様な効果を得ることができる。
【００３６】
実施の形態２．
図５は、この発明による視野角制御光学シートの実施の形態２を示す部分拡大断面図である。図５は、実施の形態２の視野角制御光学シートにおける第１領域２１と第２領域２２の境界部を示す。この実施の形態２の視野角制御光学シートは、図５において符号２０Ａで示される。この実施の形態２の視野角制御シート２０Ａは、第２領域２２の光入射側主平面２０１の全面に、ニュートラルフィルタ層２３を形成したものであり、その他は、基本的に実施の形態１の視野角制御光学シート２０と同じに構成される。ニュートラルフィルタ層２３は、第２領域２２における光入射側主平面２０１の全面に、ニュートラルフィルタ層２３の厚さｔに略等しい深さを持って形成された凹み部２３Ｃ内に均一に形成される。ニュートラルフィルタ層２３は、第２領域２２における光透過率を調整し、表示画面５ａの法線方向の光透過率を、第１領域２１と第２領域２２の双方で、略等しくする。
【００３７】
次に、実施の形態２の視野角制御光学シート２０Ａについて、主要な構成部材をさらに具体的に説明する。実施の形態の視野角制御光学シート２０Ａも、光透過性樹脂シート基材２００を用いて構成される。この光透過性樹脂シート基材２００は、実施の形態１の視野角制御光学シート２０と同じであり、屈折率ｎが１．５８のポリカーボネート樹脂（ＰＣ）を用いている。光吸収部分２１１も、実施の形態１の視野角制御光学シート２０と同じに、光入射側主平面２０１側に形成された複数の各溝２１１Ｃのそれぞれに、光吸収材料として着色顔料を含有した屈折率ｎが１．５２の紫外線硬化型のアクリル樹脂を満たして構成される。また、この実施の形態２の視野角制御光学シート２０Ａでも、着色顔料として平均粒径が１μｍ以下のカーボンブラックを用いている。
【００３８】
ニュートラルフィルタ層２３は、アクリル樹脂を主剤とした紫外線硬化型樹脂を用いて構成される。このニュートラルフィルタ層２３の着色顔料の濃度は、表示画面５ａの法線方向において、第２領域２２の光透過率が第１領域２１と同じ透過率になるように調整されており、また、このニュートラルフィルタ層２３の屈折率ｎは、光透過性樹脂シート基材２００を構成するポリカーボネイト樹脂とほぼ同等の屈折率となるように、ｎ＝１．５７に調整される。ここで、前述の如く屈折率を調整したのは、ニュートラルフィルタ層２３と第２領域２２との界面において、屈折率差に起因する光の反射が生じ、視野角制御光学シート２０Ａの性能が低下することを回避するためである。ニュートラルフィルタ層２３を形成する材料と、第２領域２２および第１領域２１の光透過部分２１２を構成する材料との屈折率の差は、小さいほど良く、好ましくはその差が０．１以下、さらに好ましくは、その差が０．０５以下に抑えられると、界面反射の影響を抑制することができ、良い特性を得ることができる。
【００３９】
なお、実施の形態２の視野角制御光学シート２０Ａも、具体的には、実施の形態１の視野角制御光学シート２０と同様に、全体の面方向の寸法を９４ｍｍ×５９ｍｍ、第１領域２１の面方向の寸法を８４ｍｍ×４９ｍｍとし、この第１領域２１を視野角制御光学シート２０Ａの中央に位置する構成とした。光透過性樹脂シート基材２００の厚さＴは、実施の形態１と同じ５００［μｍ］とした。また第１領域２１における各パラメータは、実施の形態１の視野角制御光学シート２０と同様に、光吸収部分２１１の所定方向Ａの方向のピッチＰを６０[μｍ]、幅Ｗを２５[μｍ]、その深さＤを１５０[μｍ]とした。この視野角制御シート２０Ａは、表示パネル５の表示画面５ａに表示される情報のうち、視野角を制限したい内容を表示する部分が、第１領域２１で覆い隠されるように、表示パネル５と視野角制御光学シート２０Ａとの相対位置が調整される。
【００４０】
実施の形態２の視野角制御光学シート２０Ａについても、実施の形態１の視野角制御光学シート２０と同様の製造方法を採用した。光透過性樹脂シート基材２００の光入射側主平面２０１となる面に、複数の溝２１１Ｃを部分的に形成した光透過性樹脂シート２００の製造方法として、射出圧縮成形法を選定した。ここで、成形に用いる金型は、実施の形態１の視野角制御光学シート２０について記載したものを流用し、前記金型入れ子の部分のみについて、ニュートラルフィルタ層２３を設けるための凹み部２３Ｃを形成するための高さ調整を施し、第２領域２２に対応する部分に対して、合わせ面が約１０μｍ低くなるように追加工を施してある。
【００４１】
なお、前記射出圧縮成形に用いる樹脂材料についても、実施の形態１の視野角制御光学シート２０の場合と同様に、三菱エンジニアリングプラスチックス社製のユーピロンＨ３０００（商品名）を選定し、射出シリンダー内での樹脂温度を３４０℃に設定し、金型温度を１２０℃に設定した。
【００４２】
次に、前述のようにして得られた光入射側主平面２０１となる面に複数の溝２１１Ｃを
部分的に形成した光透過性樹脂シート基材２００に対して、その複数の溝２１１Ｃのそれぞれに前記光吸収材料として着色顔料を含有した紫外線硬化型のアクリル樹脂（以下、光吸収塗料と略する）を満たす方法も、実施の形態１と同様であるが、具体的には、予め第２領域２２、つまりニュートラルフィルタ層２３を設ける領域をマスキングテープにより覆い、前記光吸収塗料が塗工されないように処理を施した光透過性樹脂シート基材２００上に前記光吸収塗料を滴下し、所定方向Ａの方向に、第１領域２１における光透過部分２１２と略同じ幅を持ったブレードによって前記光吸収塗料をシート基材２００上に押し広げながら複数の各溝２１１Ｃのそれぞれに前記光吸収塗料を充填した。なおこの場合にも、光吸収塗料は、各溝２１１Ｃに充満するように塗布されるが、各溝２１１Ｃに完全に充満しなくても、各溝２１１Ｃの相対向する両側壁の全面に塗布されれば、同じ効果が得られる。次いで、余剰に付着した光吸収塗料を完全に拭き取り、乾燥させ、紫外線を照射することで硬化させる。次に、前記マスキングテープを剥がし、ニュートラルフィルタ層２３を設けるべく、約１０μｍの凹み部２３Ｃを形成した領域に前記アクリル樹脂を主剤とした紫外線硬化型樹脂を滴下し、ブレードを用いて、第１領域２１に余剰な前記アクリル樹脂を主剤とした紫外線硬化型樹脂が付着しないように、しかも第２領域２２の厚さが第１領域２１と等しい厚さＴになるように前記アクリル樹脂を主剤とした紫外線硬化型樹脂を塗り広げた上で、乾燥し、紫外線を照射する。
【００４３】
このような工程を経て得られた視野角制御光学シート２０Ａを、図１に示す表示装置１００において、視野角制御光学シート２０に代えて配置することにより、狭視野角領域ＮＡを構成する第１領域２１のみを狭視野とし、覗き見防止などの機能を持たせることができ、また広視野角領域ＷＡを構成する第２領域２２が、サイン灯としての機能を果たすことができる。加えて、ニュートラルフィルタ層２３を形成することにより、第１領域２１と第２領域２２の間で、正面から見たときの画面の明るさに差がない、表示品質が高い表示装置１００を得ることができる。
【００４４】
図６は、実施の形態１の視野角制御光学シート２０に代えて、実施の形態２の視野角制御光学シート２０Ａを用いた表示装置１００の表示画面を法線方向から観測したイメージの一例を示す。表示装置１００は、情報端末であり、図６において、３０は情報表示画面を示す。実施の形態２の視野角制御光学シート２０Ａも、情報表示画面３０の全面を覆うように配置される。狭視野角領域ＮＡを構成する第１領域２１には、情報表示画面３０のうち視野角を制限すべき情報として、図６では意味のない数字、文字の羅列を示したが、この第１領域２１は、実際には利用者が前記情報端末に表示させた周囲の人に公開すべきでない情報を表示する画面領域である。また、広視野角領域ＷＡを構成する第２領域２２は、情報表示画面３０のうち特に情報の公開範囲を限定する必要がない情報として、図６では例として前記情報端末における複数の機能選択ボタン３０１の情報を表示する画面領域である。
【００４５】
このように図６の画面構成とした場合には、狭視野角領域ＮＡを構成する第１領域２１の寸法、位置、形状が周囲の人に公開すべきでない情報を表示する画面領域を覆い隠すように調整されているため、所定の視野角より外側からは前記表示画面に表示されている情報を確認することができない。一方で、前記情報端末の設置場所から離れた位置であっても情報表示画面のうち広視野角領域ＷＡを構成する第２領域２２の視野領域が広いために前記情報端末が利用可能な状態（スタンバイ状態）であることが明確に認識でき、つまり、図２に示した光学シート１０が情報表示画面３０の全面に設置された場合には、離れた位置から見て情報表示画面３０が点灯していないように見えるために操作が受け付けられない状態であると利用者が誤って判断する可能性があるが、実施の形態２の視野角制御光学シート２０Ａを用いれば、その第２領域２２が広視野角領域ＷＡを構成するので、利用者が前記のようにスタンバイ状態を誤って判断するようなことがなく、且つ実際に前記情報端末の前に立って操作する場合には、第１領域２１によって視野領域が制限されているために、周囲の目を気にせずに個人情報や機密情報を表示させることができる、安心して利用できる環境を提供できる。さらに、ニュートラルフィルタ層２３が形成されているため、情報表示画面３０を正面から見た場合には、実施の形態１の視野角制御光学シート２０と異なり、第１領域２１と第２領域２２の間に図４に示したような画面の明暗の境界が視認されることがなく、表示品位の高い表示装置を提供することができる。
【００４６】
なお、視野角制御光学シート２０Ａも、表示パネル５と表示用光源１との間に配置することもできる。この場合、視野角制御光学シート２０Ａは、例えば表示パネル５と導光板４との間に、表示パネル５の背面５ｂの全面と対向するように設置され、表示用光源１は、視野角制御光学シート２０Ａを通じて、表示パネル５の背面５ｂの全面に表示用バックライトを照射する。この場合にも、第１領域２１が狭視野角領域ＮＡを構成し、また第２領域２２が広視野角領域ＷＡを構成し、情報表示画面３０からの光がそれらの視野角θＮ、θＷに制御されるので、実施の形態２と同様な効果を得ることができる。
【００４７】
実施の形態３．
図７は、この発明による視野角制御光学シートの実施の形態３を示す部分拡大断面図である。図７は、実施の形態３の視野角制御光学シート２０Ｂにおける第１領域２１と第２領域２２の境界部の部分拡大断面図である。この実施の形態３の視野角制御光学シートは、図７に符号２０Ｂで示される。この実施の形態３の視野角制御光学シート２０Ｂは、図３に示す視野角制御光学シート２０における第２領域２２に光吸収材料からなる複数の光透過率調整部分２１３を形成し、また光透過性樹脂シート基材２００の光出射側主平面２０２の全面にベースフィルム２４を形成したものであり、その他は、基本的に実施の形態１の視野角制御光学シート２０と同じに構成される。
【００４８】
視野角制御光学シート２０Ｂでは、厚さＴの光透過性樹脂シート基材２００における光出射側主平面２０２の全面上に厚さＴ１のベースフィルム２４が形成されている。視野角制御光学シート２０Ｂの第１領域２１と第２領域２２は、実施の形態１、２の視野角制御光学シート２０、２０Ａと同様に、光透過性樹脂シート基材２００を共通に用いて構成される。視野角制御光学シート２０Ｂの第１領域２１には、実施の形態１、２と同様に、深さＤと幅Ｗを有する複数の光吸収部分２１１がピッチＰで光透過部分２１２と交互に間隔をおいて配列され、その第２領域２２には、深さＤ１と幅Ｗ１を有する複数の光透過率調整部分２１３がピッチＰ１で間隔をおいて配列される。複数の光吸収部分２１１および光透過率調整部分２１３は、光透過性樹脂シート基材２００の光入射側主平面２０１側に、所定方向Ａの方向に沿って配列される。所定方向Ａの方向と直交する方向における光吸収部分２１１の長さは、第１領域２１に大きさに応じて決定され、また所定方向Ａの方向と直交する方向における光透過率調整部分２１３の長さは、第２領域２２の大きさに応じて決定される。光透過性樹脂シート基材２００において、光吸収部分２１１および光透過率調整部分２１３を除く部分には、光透過性樹脂シート基材２００がそのまま残される。
【００４９】
複数の光吸収部分２１１および複数の光透過率調整部分２１３は、それらと略同一形状の複数の溝２１１Ｃおよび２１３Ｃの内部に形成される。複数の溝２１１Ｃは、深さＤと、所定方向Ａの方向の幅Ｗを有し、所定方向Ａの方向に互いに間隔をおいて、ピッチＰで形成される。複数の溝２１３Ｃは、深さＤ１と、所定方向Ａの方向の幅Ｗ１を有し、所定方向Ａの方向に互いに間隔をおいて、ピッチＰ１で形成される。幅Ｗ、Ｗ１とピッチＰ、Ｐ１とは、Ｗ／ＰとＷ１／Ｐ１とが略等しくされ、また、深さＤ、Ｄ１と幅Ｗ、Ｗ１は、Ｄ／Ｗ＞Ｄ１／Ｗ１の関係とされる。Ｄ／Ｗ＞Ｄ１／Ｗ１の関係は、第１領域２１における視野角θＮを第２領域２２における視野角θＷよりも狭くするのに有効である。またＷ／ＰとＷ１／Ｐ１とが略等しいことは、Ｄ／Ｗ＞Ｄ１／Ｗ１とした場合にも、表示画面に対する法線方向の光透過率を、第１領域２１と第２領域２２の双方において、互いに略等しくするのに有効である。
【００５０】
この実施の形態３の視野角制御光学シート２０Ｂは、図１に示す表示装置１００において、視野角制御光学シート２０に代えて使用される。図８は、この視野角制御光学シート２０Ｂを用いた表示装置１００の表示画面をその法線方向から観察したイメージの一例を示す。この表示装置１００は、情報表示端末として構成され、図８において、符号３０は、情報表示画面を示す。実施の形態３の視野角制御光学シート２０Ｂは、情報表示画面３０の全面を覆うように配置される。狭視野角領域ＮＡを構成する第１領域２１は、図８に示すように、長方形形状の情報表示画面３０における下側の長辺に沿って帯状に形成され、具体的には、情報表示画面３０の暗証番号入力画面３１０の覗きを防止するために、それを覆うように配置される。この暗証番号入力画面３１０には、入力された暗証番号を表示する表示区域３１１が含まれる。また、視野角制御光学シート２０Ｂよりも観察者側には、その第１領域２１上に重なるように、暗証番号を入力する光透過性のタッチパネル３１２が貼り付けられる。このタッチパネル３１２は、光透過性フィルムで構成され、この光透過性フィルム上に暗証番号を入力するための枠形のキーパッド３１３を印刷して構成される。表示区域３１１および光透過性のタッチパネル３１２は、狭視野角θＮを与える第１領域２１内に存在し、狭視野角θＮで光を透過するので、視野角が制限される。第２領域２２は、第１領域２１の上方に拡がっており、特に覗きを制限する必要のない情報が、この第２領域２２を通じて観察できるようになっている。
【００５１】
このように、実施の形態３の視野角制御光学シート２０Ｂにおける第１領域２１は、情報表示画面３０のうち視野角を制限すべき情報、図８では例としてＡＴＭなどで用いられる暗証番号の表示区域３１１、および暗証番号を入力するためのタッチパネル３１２のキーパッド３１３を表示する画面領域である。また、第２領域２２には、情報表示画面３０のうち特に情報の公開範囲を限定する必要がない情報、図８では空白としたが、実際にはＡＴＭでは機能選択ボタンなどの周囲に公開しても問題ない情報を表示する画面領域である。つまり、実施の形態３の視野角制御光学シート２０Ｂを用いることにより、暗証番号などの機密情報を、タッチパネル３１２により画面上に表示されたキーパッド３１３などに触れることで入力する場合などにおいても、キーパッド３１３と表示区域３１１が、第１領域２１内に存在し、この第１領域２１により視野角を制限する機能を付与してあるために周囲に情報を漏洩することがない。
【００５２】
ここで、図８においては、第１領域２１と第２領域２２の範囲を分かりやすくするために、第１領域２１を横線によって示しているが、実際には光透過率調整部分２１３の効果によって、情報表示画面３０の法線方向、すなわち情報表示画面３０の正面から見た場合には、画面上に図８のような境界は生じない。このように図８の画面構成とした場合には、第１領域２１の寸法、位置、形状が周囲の人に公開すべきでない情報を表示する画面領域を覆い隠すように調整されているため、所定の視野角より外側からは前記画面領域に表示されている情報を確認することができない。一方で、前記情報端末の設置場所から離れた位置であっても情報表示画面３０のうち、第２領域２２の視野領域が広いために、情報表示端末が利用可能な状態（スタンバイ状態）であることが明確に認識でき、つまり、図２に示した光学シート１０が情報表示画面３０の全面に設置された場合のように、離れた位置から見て情報表示画面３０が点灯していないように見えるために操作が受け付けられない状態であると利用者が誤って判断するようなことがなく、しかも、実際に情報表示端末の前に立って操作する場合には、第１領域２１によって視野領域が制限されているために、周囲の目を気にせずに個人情報や機密情報を表示させることができる、安心して利用できる環境を提供できる。さらに、複数の光透過率調整部分２１３が形成されているため、情報表示画面３０を正面から見た場合には、実施の形態１の視野角制御光学シート２０を用いる場合と異なり、第１領域２１と第２領域２２の間に画面の明暗の境界が視認されることがなく、表示品位の高い表示装置を提供することができる。
【００５３】
次に、実施の形態３の視野角制御光学シート２０Ｂにおける主要な構成部材について、さらに具体的に説明する。このシート基材２００は、実施の形態３の視野角制御光学シート２０Ｂでは、屈折率ｎが１．５７に調整されたアクリル樹脂を主剤とした紫外線硬化型樹脂を用いて構成される。第１領域２１における光吸収部分２１１および第２領域２２における光透過率調整部分２１３は、視野角制御光学シート２０Ｂの光入射側主平面２０１に、光吸収部分２１１および光透過率調整部分２１３と略同一形状で形成された複数の溝２１１Ｃ、２１３Ｃに、光吸収材料として着色顔料を含有した屈折率ｎが１．５２の紫外線硬化型のアクリル樹脂を充填して構成される。この実施の形態３の視野角制御光学シート２０Ｂにおいても、前記着色顔料として平均粒径が１μｍ以下のカーボンブラックを用いている。また、ベースフィルム２４には、光透過性樹脂シート基材２００の光出射側主平面２０２と対向する側のみにプライマー処理をした厚さ１００μｍのＰＥＴシート（ポリエチレンテレフタレートシート）を用いている。
【００５４】
実施の形態３の視野角制御光学シート２０Ｂは、具体的には、その全体の面方向の寸法を３０５ｍｍ×２２９ｍｍ、第１領域２１の面方向の寸法を３０５ｍｍ×５０ｍｍとし、第１領域２１を図８に示すように、視野角制御光学シート２０Ｂの下側の長辺端部に位置する構成とした。光透過性樹脂シート基材２００の厚さＴは、５００［μｍ］とした。また、第１領域２１の各パラメータは、実施の形態１と同様に、光吸収部分２１１のピッチＰを６０［μｍ］、その所定方向Ａの方向の幅Ｗを２５［μｍ］、その深さＤを１５０［μｍ］とした。第２領域２２の各パラメータは、光透過率調整部分２１３のピッチＰ１をピッチＰと同じ６０［μｍ］、その所定方向Ａの方向の幅Ｗ１を幅Ｗと同じ２５［μｍ］とし、その深さＤ１を光吸収部分２１１の深さＤより小さく、１０［μｍ］とした。
【００５５】
この視野角制御光学シート２０Ｂの具体例では、ピッチＰ、Ｐ１は互いに等しく、また幅Ｗ、Ｗ１は互いに等しい。したがって、この具体例でも、Ｗ／ＰとＷ１／Ｐ１は等しく、また深さＤ、Ｄ１は、Ｄ＞Ｄ１であるので、Ｄ／Ｗ＞Ｄ１／Ｗ１の関係にある。この具体例では、Ｄ／Ｗ＞Ｄ１／Ｗ１の関係により、第１領域２１における視野角θＮは第２領域２２における視野角θＷよりも狭くなる。またＷ／ＰとＷ１／Ｐ１とが略等しいことにより、Ｄ／Ｗ＞Ｄ１／Ｗ１とした場合にも、情報表示画面３０に対する法線方向の光透過率は、第１領域２１と第２領域２２の双方において、互いに略等しくなる。
【００５６】
表示パネル５の表示画面５ａに表示される情報のうち、視野角を制限したい内容を表示する部分、例えば暗証番号入力画面３１０が、第１領域２１で覆い隠されるように、表示パネル５と視野角制御光学シート２０Ｂの相対位置が調整されている。
【００５７】
次に、実施の形態３の視野角制御光学シート２０Ｂの製造方法を説明する。先ず、光入射側主平面２０１となる面に複数の溝２１１Ｃ、２１３Ｃを部分的に形成した光透過性樹脂シート基材２００の製造工程について説明する。実施の形態１、２における光透過性樹脂シート基材２００の製造工程では、射出圧縮成形法を採用したが、実施の形態３の光透過性樹脂シート基材２００の成形方法としては、紫外線照射装置を備えたロール成形法を選定した。このロール成形法によるロール成形工程において、ベースフィルム２４に光透過性樹脂シート基材２００を積層し、さらに、光透過性樹脂シート基材２００の光入射側主平面２０１に、複数の溝２１１Ｃ、２１３Ｃを形成する。これらの溝２１１Ｃ、２１３Ｃは、前記ロール成形工程において、ロール金型により形成される。このロール成形法は、実施の形態１、２で示したような溶融樹脂により光透過性樹脂シート基材２００を形成する場合と比較すると、非常に粘度が低い紫外線硬化型樹脂を用いて光透過性樹脂シート基材２００を形成することができるため、予めロール金型に形成したパターンの転写性が非常に良く、実施の形態３の光透過性樹脂シート基材２００のような複数の微細な溝２１１Ｃ、２１３Ｃを有した樹脂成形体を得るための成形方法として好適に使うことができる。ベースフィルム２４は、粘度の低い紫外線硬化型樹脂で構成される光透過性樹脂シート基材２００の強度を補強する。また、ロール形成法は、実施の形態１、２で述べた射出圧縮法による成形のようなバッチ処理と異なり、ロールトゥロールでの成形が可能であるため、単位面積当たりにかかる製造タクトが大幅に短縮でき、生産性の向上が見込めるため、安価に大量の光学シートを提供することができるという利点がある。
【００５８】
ここで、前記ロール成形工程に用いるロール金型としては、表面に光吸収部分２１１および光透過率調整部分２１３と略同一形状の複数の微細な突条を所定の位置に残すように加工されたロール金型を用いる。ここで、前記ロール金型は、金型材料を基材として、前記金型材料上に厚さ２００μｍの硬質銅めっき膜を形成し、前記硬質銅めっき膜に対して、光透過部分２１２および光透過率調整部分２１３と略同一形状のダイヤモンドバイトを加工工具として用いて、光吸収部分２１１および光透過率調整部分２１３と略同一形状の複数の微細な突条を残す精密旋削加工を施して得られたものである。光吸収部分２１１と略同一形状の複数の微細な突条は、高さＤと、所定方向Ａの方向の幅Ｗを有し、所定方向Ａの方向に沿ってピッチＰで形成され、その所定方向Ａの方向と直交する方向の長さは第１領域２１の大きさに応じて決定される。光透過率調整部分２１３と略同一形状の複数の微細な突条は、高さＤ１と、所定方向Ａの方向の幅Ｗ１を有し、所定方向Ａの方向に沿ってピッチＰ１で形成され、その所定方向Ａの方向と直交する方向の長さは第２領域２２の大きさに応じて決定される。
【００５９】
次に、前述のロール成形法を用いて得られた前記光透過性樹脂シート基材２００の光入射側主面２０１となる面に形成された複数の溝２１１Ｃ、２１３Ｃに、前記光吸収塗料を満たす方法について説明する。光透過性樹脂シート基材２００上に前記光吸収塗料を滴下し、所定方向Ａの方向に、光透過性樹脂シート基材２００における光透過部分２１２の幅と略同じ幅を持ったブレードによって前記光吸収塗料を光透過性樹脂シート基材２００上に押し広げながら、複数の溝２１１Ｃ、２１３Ｃに同時に前記光吸収塗料を充填した。なおこの場合にも、光吸収塗料は、各溝２１１Ｃ、２１３Ｃに充満するように塗布されるが、各溝２１１Ｃ、２１３Ｃに完全に充満しなくても、各溝２１１Ｃ、２１３Ｃの相対向する両側壁の全面に塗布されれば、同じ効果が得られる。次いで、余剰に付着した前記光吸収塗料を完全に拭き取り、乾燥させ、紫外線を照射することで硬化させる。
【００６０】
実施の形態３の視野角制御光学シート２０Ｂによれば、第１領域２１と第２領域２２の間で透過率の差が生じて表示品質が低下するのを回避するため、実施の形態２の視野角制御光学シート２０Ａのように、第２領域２２に別工程で処理を施す必要がなく、光吸収部分２１１および光透過率調整部分２１３を同時に形成することができるため、生産性良く、安価に視野角制御機能を有し、かつ表示品質が高い視野角制御光学シート２０Ｂを得ることができる。
【００６１】
なお、視野角制御光学シート２０Ｂは、表示パネル５と表示用光源１との間に配置することもできる。この場合、視野角制御光学シート２０Ｂは、例えば表示パネル５と導光板４との間に、表示パネル５の背面５ｂの全面と対向するように設置され、表示用光源１は、視野角制御光学シート２０Ｂを通じて、表示パネル５の背面５ｂの全面に表示用バックライトを照射する。この場合にも、第１領域２１が狭視野角領域ＮＡを構成し、また第２領域２２が広視野角領域ＷＡを構成し、情報表示画面３０からの光がそれらの視野角θＮ、θＷに制御されるので、実施の形態３と同様な効果を得ることができる。また、視野角制御光学シート２０Ｂを表示パネル５と導光板４との間に配置した場合、表示区域３１１は、視野角制御光学シート２０Ｂの第１領域２１と重なる情報表示画面３０の暗証番号入力画面３１０に表示され、また、光透過性のタッチパネル３１２は、暗証番号入力画面３１０と重なるように、この暗証番号入力画面３１０上の観察者側に貼り付けられる。
【００６２】
なお、実施の形態１、２、３の視野角制御光学シート２０、２０Ａ、２０Ｂおよびこれ
を用いた表示装置１００は、この発明の実施の形態を示すものであって、この発明を限定するものではなく、請求の範囲に記載した発明の範囲内で種々の改変ができる。
【産業上の利用可能性】
【００６３】
この発明による視野角制御光学シートは、表示画面の一部について他の部分よりも、視野角を狭くする必要のある表示装置に利用することがき、またこの発明による表示装置は、この発明による視野角制御光学シートを用い、表示画面の一部について他の部分よりも、視野角を狭くする表示装置として利用される。
【符号の説明】
【００６４】
１００：表示装置、５：表示パネル、５ａ：表示面、
２０、２０Ａ、２０Ｂ：視野角制御光学シート、２１：第１領域、２２：第２領域、
２３：光吸収層、２００：光透過性樹脂シート基材、２０１：光入射側主平面、
２０２：光出射側主平面、２１１：光吸収部分、２１２：光透過部分、
２１３：光透過率調整部分。
【図１】
2010223996.tif 000003
【図２】
2010223996.tif 000004
【図３】
2010223996.tif 000005
【図４】
2010223996.tif 000006
【図５】
2010223996.tif 000007
【図６】
2010223996.tif 000008
【図８】
2010223996.tif 000009
【図７】
2010223996.tif 000010